(57)【特許請求の範囲】
【請求項１】
制御電源である電池と、
ガス流路内に設けられた遮断弁と、
前記遮断弁を駆動する遮断弁駆動回路と、
全体の制御を行うマイクロコンピュータと、
外部機器とデータの送受信を行う通信手段と、
ＬＥＤを用いて点滅表示を行う表示器と、
前記表示器の累積点灯時間から前記電池の消費量を演算する消費電流演算部と、
前記消費電流演算部の演算結果をもとに前記電池が消耗する前に電話回線を介してガス事業者へ通報する通報制御部と、を具備し、
前記マイクロコンピュータには、ガス遮断事象、警報事象の発生、及び当該発生した事象ごとの発生経過時間を記録するメモリ、およびこのメモリに前記ガス遮断事象、警報事象の発生、及び当該発生した事象が記録されると前記表示器の点滅周期を延長又は点滅の点灯時間を短縮する表示変更部を設け、
前記通報制御部により、ガス事業者への通報が終了すると、前記表示器による表示を停止するようにしたガス遮断装置。
【発明の詳細な説明】
【技術分野】
【０００１】
本発明は、ガスメータ以後におけるガス使用上の安全を図るガス遮断装置に関するものである。
【背景技術】
【０００２】
図３は従来のこの種のガス遮断装置を示し、制御電源であるリチウム電池５１と、ガス流路中を流れるガスの流量を測定するリードスイッチと抵抗を用いた流量センサ２５と、前記流量センサ５２からの信号に基づいてガス流路を開閉する遮断弁５３と、前記遮断弁５３を駆動する遮断弁駆動回路５４と、全体の制御を行うマイクロコンピューター５５と、外部機器とデータの送受信を行うＬＥＤを用いた表示器５６、およびリードスイッチを用いたテストスイッチ５７で構成した通信手段５８とから構成されている。そして、ガス遮断事象、警報事象の発生、および当該発生した事象ごとの発生経過時間を前記マイクロコンピューター５５のメモリ５９に記録するようにしてある（例えば、特許文献１参照）。
【特許文献１】特開平１１−８３５６５号公報
【発明の開示】
【発明が解決しようとする課題】
【０００３】
しかしながら、従来のガス遮断装置では、ガス遮断事象や警報事象が発生した時のＬＥＤ表示が長期間に亘り継続された場合には、電池が消耗してしまい、ガス遮断装置を短期間で交換しなければならないという課題を有していた。
【０００４】
本発明はこのような従来の課題を解決したもので、電池寿命を向上してガス遮断装置の信頼性向上を図ることを目的とする。
【課題を解決するための手段】
【０００５】
上記目的を達成するために本発明のガス遮断装置は、制御電源である電池と、ガス流路内に設けられた遮断弁と、前記遮断弁を駆動する遮断弁駆動回路と、全体の制御を行うマイクロコンピュータと、外部機器とデータの送受信を行う通信手段と、ＬＥＤを用いて点滅表示を行う表示器と、前記表示器の累積点灯時間から前記電池の消費量を演算する消費電流演算部と、前記消費電流演算部の演算結果をもとに前記電池が消耗する前に電話回線を介してガス事業者へ通報する通報制御部と、を具備し、前記マイクロコンピュータには、ガス遮断事象、警報事象の発生、及び当該発生した事象ごとの発生経過時間を記録するメモリ、およびこのメモリに前記ガス遮断事象、警報事象の発生、及び当該発生した事象が記録されると前記表示器の点滅周期を延長又は点滅の点灯時間を短縮する表示変更部を設け、前記通報制御部により、ガス事業者への通報が終了すると、前記表示器による表示を停止するようにしたものである。
【０００６】
上記によれば、前記表示変更部で表示パターンの点滅周期又は点滅時間を変更することでＬＥＤ点滅による電池消耗を削減することができる。
【発明の効果】
【０００７】
本発明のガス遮断装置は、前記表示変更部で表示パターンの点滅周期又は点滅時間を変更することでＬＥＤ点滅による電池消耗を削減することで、ガス遮断装置の信頼性向上を図ることができる。
【発明を実施するための最良の形態】
【０００８】
第１の発明は、制御電源である電池と、ガス流路内に設けられた遮断弁と、前記遮断弁を駆動する遮断弁駆動回路と、全体の制御を行うマイクロコンピュータと、外部機器とデータの送受信を行う通信手段と、ＬＥＤを用いて点滅表示を行う表示器と、前記表示器の累積点灯時間から前記電池の消費量を演算する消費電流演算部と、前記消費電流演算部の演算結果をもとに前記電池が消耗する前に電話回線を介してガス事業者へ通報する通報制御部と、を具備し、前記マイクロコンピュータには、ガス遮断事象、警報事象の発生、及び当該発生した事象ごとの発生経過時間を記録するメモリ、およびこのメモリに前記ガス遮断事象、警報事象の発生、及び当該発生した事象が記録されると前記表示器の点滅周期
を延長又は点滅の点灯時間を短縮する表示変更部を設け、前記通報制御部により、ガス事業者への通報が終了すると、前記表示器による表示を停止するようにしたものである。
【０００９】
上記によれば、前記表示変更部で表示パターンの点滅周期又は点滅時間を変更することでＬＥＤ点滅による電池消耗を削減することができ、ガス事業者に通報することでガス事業者はガス遮断事象、警報事象の発生を認知できるため、ＬＥＤ点滅による警報表示を停止できることから不要なＬＥＤ点滅による電池消耗を無くすことができる。
【００１０】
以下、本発明の実施の形態について、図面を参照しながら説明する。尚、この実施の形態によって本発明が限定されるものではない。
【００１１】
（実施の形態１）
図１において、ガス遮断装置は、制御電源であるリチウム電池などの電池１と、ガス流路中を流れるガスの流量を測定するリードスイッチと抵抗を用いた流量センサ２と、前記流量センサ２からの信号に基づいてガス流路を開閉するガス流路内に設けられた遮断弁３と、前記遮断弁３を駆動する遮断弁駆動回路４と、全体の制御を行うマイクロコンピューター５と、ＬＥＤを用いた表示器６、および外部機器とデータの送受信を行う前記表示器６とリードスイッチを用いたテストスイッチ７で構成した通信手段８とから構成されている。
【００１２】
そして、前記マイクロコンピューター５は、ガス遮断事象、警報事象の発生、および当該発生した事象ごとの発生経過時間を記録するメモリ９と、このメモリ９にガス遮断事象、警報事象の発生、および当該発生した事象が記録されると、表示器６の表示パターンを変更する表示変更部１０とを有するものである。
【００１３】
このように、表示変更部１０はメモリ９にガス遮断事象、警報事象の発生、及び当該発生した事象が記録されると、表示器６のＬＥＤ点滅周期を延長し、且つＬＥＤ点滅時間を短縮する。例えば、これまではＬＥＤ点滅が２年間程度継続した場合に前記電池１が消耗してしまいガス遮断装置を交換しなければならないものが、ＬＥＤ点滅を周期３倍、且つ時間１／３倍にした場合等では１０年間の検定満了まで使用できる可能性がある。
【００１４】
したがって、上記によれば、表示変更部１０で表示パターンの点滅周期又は点滅時間を変更することでＬＥＤ点滅による電池１の消耗を抑制することができる。
【００１５】
（実施の形態２）
図２は実施の形態２を示し、実施の形態１と異なる点は、表示器６の累積点灯時間から電池１の消費量を演算する消費電流演算部１１と、この消費電流演算部１１の演算結果をもとに電池１が消耗する前に電話回線を介してガス事業者へ通報する通報制御部１２を設け、ガス事業者への通報が終了すると、前記ＬＥＤを用いた表示器６の警報表示を停止するようにしたところである。
【００１６】
上記によれば、ガス事業者に通報することでガス事業者はガス遮断事象、警報事象の発生を認知できるため、ＬＥＤ点滅による警報表示を停止できることから不要なＬＥＤ点滅による電池消耗を無くすことができる。
【産業上の利用可能性】
【００１７】
以上のように、本発明にかかるガス遮断装置は、メモリに事象が記録されるとＬＥＤ点滅周期を延長し、且つＬＥＤ点滅時間を短縮することで、電池の消耗が削減されることから、機器の電池寿命を延長することができるため、メモリを有した警告表示を行う様々な電池駆動機器に適用することができる。
【図面の簡単な説明】
【００１８】
【図１】本発明の実施の形態１のガス遮断装置の構成図
【図２】本発明の実施の形態２のガス遮断装置の構成図
【図３】従来のガス遮断装置の構成図
【符号の説明】
【００１９】
１  電池
２  流量センサ
３  遮断弁
４  遮断弁駆動回路
５  マイクロコンピューター
６  表示器
８  通信手段
９  メモリ
１０  表示変更部
１１  消費電流演算部
１２  通信制御部
【図１】
0004788306.tif 000002
【図２】
0004788306.tif 000003
【図３】
0004788306.tif 000004